(57)【要約】【課題】    複数店舗を運営管理するホールにおいて各ホールの売上情報や遊技台情報などをリアルタイムに統括本部や地域統括本部にて管理する事が出来なかった。【解決手段】ホール管理装置と地域統合管理装置と本部統合管理装置との間でホールに係るデータをリアルタイムに交信することを特徴とする。これにより、各店舗の情報をホール管理装置からリアルタイムに地域統合管理装置と本部統合管理装置に送られ、地域統合管理装置および／または統合管理装置からは、各店舗の設定情報などをリアルタイムに各ホール管理装置に送信し、指示を出すことができる。また、これにより、広域に店舗を保有する場合でも、地域と本部が連携して、統括的にあるいは、地域性を生かした特有のデータがある場合にも対応できる。【選択図】          図１
2005040337.tif 000002
【特許請求の範囲】
【請求項１】
遊技機を管理するローカルコンピュータの少なくとも遊技機情報を管理するホール管理装置と本部統合管理装置とを専用回線および／または公衆回線で接続し、ホール管理装置と本部統合管理装置との間でホールに係るデータをリアルタイムに交信することを特徴とするホールコンピュータ集中管理システム。
【請求項２】
ホール管理装置と本部統合管理装置との間でホールに係るデータを高速でリアルタイムに交信できるように編集・加工することを特徴とする請求項１に記載のホールコンピュータ集中管理システム。
【請求項３】
ホール管理装置と本部統合管理装置との間でリアルタイムに交信したホールに係るデータを本部統合管理装置にリアルタイムデータとして保存することを特徴とする請求項１または請求項２のいずれか一つに記載のホールコンピュータ集中管理システム。
【請求項４】
ホール管理装置と本部統合管理装置との間でリアルタイムに交信したホールに係るデータを本部統合管理装置に各ホールの蓄積データとして保存することを特徴とする請求項１から請求項３のいずれか一つに記載のホールコンピュータ集中管理システム。
【請求項５】
遊技機を管理するローカルコンピュータの少なくとも遊技機情報を管理するホール管理装置と地域統合管理装置と本部統合管理装置とを専用回線および／または公衆回線で接続し、ホール管理装置と地域統合管理装置と本部統合管理装置との間でホールに係るデータをリアルタイムに交信することを特徴とするホールコンピュータ集中管理システム。
【請求項６】
ホール管理装置と地域統合管理装置と本部統合管理装置との間でホールに係るデータを高速でリアルタイムに交信できるように編集・加工することを特徴とする請求項５に記載のホールコンピュータ集中管理システム。
【請求項７】
ホール管理装置と地域統合管理装置と本部統合管理装置との間でリアルタイムに交信したホールに係るデータを地域統合管理装置および／または本部統合管理装置にリアルタイムデータとして保存することを特徴とする請求項５または請求項６のいずれか一つに記載のホールコンピュータ集中管理システム。
【請求項８】
ホール管理装置と地域統合管理装置と本部統合管理装置との間でリアルタイムに交信したホールに係るデータを地域統合管理装置および／または本部統合管理装置に各ホールの蓄積データとして保存することを特徴とする請求項５から請求項７のいずれか一つに記載のホールコンピュータ集中管理システム。
【発明の詳細な説明】
【技術分野】
【０００１】
複数の店舗を持つホールのホール管理装置と統合管理装置とを回線にて接続し、リアルタイムに統括本部や地域統括本部にて各ホールの遊技機情報を管理することに関する。
【背景技術】
【０００２】
各ホールにおいて、各遊技機に関する遊技機情報をローカルコンピュータで把握し、ホール管理装置で管理することが行われて来た（例えば、特許文献１、特許文献２参照。）。しかし、そこで把握しているホールの遊技機情報については、統合管理している統括本部や地域統括本部機構に対し、リアルタイムに相互連絡し統括管理することは行われていなかった。
【０００３】
【特許文献１】特開平１０−０８５４１６号公報
【０００４】
【特許文献２】特開平１１−２５３６４６号公報
【発明の開示】
【発明が解決しようとする課題】
【０００５】
複数店舗を運営管理するホールにおいて各ホールの遊技機情報などをリアルタイムに統括本部や地域統括本部にて管理する事が出来なかった為、統括的にタイムリーな運営管理を行うことが難しく運営管理指示を各ホールに指示するにおいて後手に回ることも多かった。また、運営管理に関する情報のタイムリーに送られ蓄積されることも無く、蓄積情報を分析し次ぎの運営管理指示に対する指針を得ることなどが難しかった。
【課題を解決するための手段】
【０００６】
請求項１に記載のホールコンピューター集中管理システムは、遊技機を管理するローカルコンピュータの少なくとも遊技機情報を管理するホール管理装置と本部統合管理装置とを専用回線および／または公衆回線で接続し、ホール管理装置と本部統合管理装置との間でホールに係るデータをリアルタイムに交信することを特徴とするものである。
【０００７】
このように、ホール管理装置と本部統合管理装置とを回線で接続することにより、各店舗の情報を統合本部に直接に送ることができる。また、各店舗の情報をホール管理装置からリアルタイムに本部統合管理装置に送られ、統合管理装置からは、各店舗の設定情報などをリアルタイムに各ホール管理装置に送信し、指示を出すことができる。
【０００８】
請求項２に記載の本発明のホールコンピュータ集中管理システムは、ホール管理装置と本部統合管理装置との間でホールに係るデータを高速でリアルタイムに交信できるように編集・加工することを特徴とするものである。
【０００９】
これにより、各店舗のホール管理装置においてリアルタイムのデータを圧縮処理し、本部統合管理装置は各ホール管理装置からのデータを高速で受信することができる。
【００１０】
請求項３に記載の本発明のホールコンピュータ集中管理システムは、ホール管理装置と本部統合管理装置との間でリアルタイムに交信したホールに係るデータを本部統合管理装置にリアルタイムデータとして保存することを特徴とするものである。
【００１１】
これにより、各店舗のホール管理装置から送られて来たリアルタイムなデータを本部統括管理装置で参照・印字し、各店舗の設定情報などを統括的・戦略的に各ホール管理装置に送信し、指示を出すことができる。
【００１２】
請求項４に記載の本発明のホールコンピュータ集中管理システムは、ホール管理装置と本部統合管理装置との間でリアルタイムに交信したホールに係るデータを本部統合管理装置に各ホールの蓄積データとして保存することを特徴とするものである。
【００１３】
これにより、本部統合管理装置において少なくとも過去１年間の各店舗のホール管理装置のデータを各店舗ごとに保存・管理することにより、各店舗の過去のデータを参照・印字することができる。また、長期のデータを基にリアルタイムの情報と合わせ分析・演算し、設定情報などを統括的・戦略的に各店舗のホール管理装置に送信し、指示を出すことができる。
【００１４】
請求項５に記載の本発明のホールコンピュータ集中管理システムは、遊技機を管理するローカルコンピュータの少なくとも遊技機情報を管理するホール管理装置と地域統合管理装置と本部統合管理装置とを専用回線および／または公衆回線で接続し、ホール管理装置と地域統合管理装置と本部統合管理装置との間でホールに係るデータをリアルタイムに交信することを特徴とするものである。
【００１５】
このように、ホール管理装置と地域統合管理装置と本部統合管理装置とを回線で接続することにより、各店舗の情報を地域統合本部および／または統合本部に直接に送ることができる。また、各店舗の情報をホール管理装置からリアルタイムに地域統合管理装置と本部統合管理装置に送られ、地域統合管理装置および／または統合管理装置からは、各店舗の設定情報などをリアルタイムに各ホール管理装置に送信し、指示を出すことができる。また、これにより、広域に店舗を保有する場合でも、地域と本部が連携して、統括的にあるいは、地域性を生かした特有のデータがある場合にも対応できる。
【００１６】
請求項６に記載の本発明のホールコンピュータ集中管理システムは、ホール管理装置と地域統合管理装置と本部統合管理装置との間でホールに係るデータを高速でリアルタイムに交信できるように編集・加工することを特徴とするものである。
【００１７】
これにより、各店舗のホール管理装置においてリアルタイムのデータを圧縮処理し、地域統合管理装置と本部統合管理装置は各ホール管理装置からのデータを高速で受信することができる。
【００１８】
請求項７に記載の本発明のホールコンピュータ集中管理システムは、ホール管理装置と地域統合管理装置と本部統合管理装置との間でリアルタイムに交信したホールに係るデータを地域統合管理装置および／または本部統合管理装置にリアルタイムデータとして保存することを特徴とするものである。
【００１９】
これにより、各店舗のホール管理装置から送られて来たリアルタイムなデータを地域統合管理装置および／または本部統括管理装置で参照・印字し、各店舗の設定情報などを統括的・戦略的に各ホール管理装置に送信し、指示を出すことができる。また、これにより、広域に店舗を保有する場合でも、地域と本部が連携して、統括的にあるいは、地域性を生かした特有のデータがある場合にも対応できる。
【００２０】
請求項８に記載の本発明のホールコンピュータ集中管理システムは、ホール管理装置と地域統合管理装置と本部統合管理装置との間でリアルタイムに交信したホールに係るデータを地域統合管理装置および／または本部統合管理装置に各ホールの蓄積データとして保存することを特徴とするものである。
【００２１】
これにより、地域統合管理装置および／または本部統合管理装置において少なくとも過去１年間の各店舗のホール管理装置のデータを各店舗ごとに保存・管理することにより、各店舗の過去のデータを参照・印字することができる。また、長期のデータを基にリアルタイムの情報と合わせ分析・演算し、設定情報などを統括的・戦略的に各店舗のホール管理装置に送信し、指示を出すことができる。また、これにより、広域に店舗を保有する場合でも、地域と本部が連携して、統括的にあるいは、地域性を生かした特有のデータがある場合にも対応できる。
【発明の効果】
【００２２】
各店舗のホール管理に関する全ての情報を地域本部統合管理装置および／または本部統合管理装置で一元管理することができる。また、高速通信可能なように圧縮・編集しているため１００、２００店舗といった複数店舗からでもリアルタイムにデータを収集することができる。
【００２３】
さらに、地域毎に設置された地域統合管理装置にて各地域に属する店舗のホール管理に関する全ての情報を収集・参照することにより、広域に店舗を保有する場合でも、地域と本部が連携して、統括的にあるいは、地域性を生かした特有のデータがある場合にも対応できる。
【００２４】
収集したデータにより複数店舗の遊技機情報、売上機情報、計数機情報、券売機情報、精算機情報、リプレイ機情報、エラー情報またはマスタ情報と云ったホール管理に関する全ての情報をリアルタイムに参照することができ、それに基づき、各店舗の設定情報などを統括的・戦略的に各ホール管理装置に送信し、指示を出すことができる。広域に店舗を保有する場合でも、地域と本部が連携して、統括的にあるいは、地域性を生かした特有のデータがある場合にも対応できる。
【００２５】
各店舗のホール管理に関する全ての情報は日々蓄積・保存されている。その為、過去のホール管理に関する全ての情報も随時参照可能である。これにより、各店舗のホール管理装置から送られて来たリアルタイムなデータを地域統合管理装置および／または本部統括管理装置で参照・印字し、各店舗の設定情報として釘調整情報、マスタ情報、営業予測情報指示などを統括的・戦略的に各ホール管理装置に送信し、出すことができる。また、これにより、広域に店舗を保有する場合でも、地域と本部が連携して、統括的にあるいは、地域性を生かした特有のデータがある場合にも対応できる。
【００２６】
これらホール管理に関する全ての情報は地域統合管理装置および／または本部統合管理装置から参照できるとともに、他の表示端末からもＬＡＮ／ＷＡＮ等の通信手段を介して随時参照可能である。これにより、地域統合管理装置および／または本部統合管理装置において少なくとも過去１年間の各店舗のホール管理装置のデータを各店舗ごとに保存・管理することにより、各店舗の過去のデータを参照・印字することができる。また、長期のデータを基にリアルタイムの情報と合わせ分析・演算し、設定情報などを統括的・戦略的に各店舗のホール管理装置に送信し、指示を出すことができる。また、これにより、広域に店舗を保有する場合でも、地域と本部が連携して、統括的にあるいは、地域性を生かした特有のデータがある場合にも対応できる。
【発明を実施するための最良の形態】
【００２７】
本発明の実施の形態を図１を用いて説明する。図１において、当該発明の構成は、本部１、一つまたは複数からなる地域本部３、一つまたは複数からなる店舗２をＷＡＮ４２の専用回線および／または公衆回線４１で接続されている。店舗２は遊技機に備えられている台情報ユニット２２全体を統括管理するローカルコンピュータ２２を統括するホール管理装置２１からなる。ホール管理装置２１はルータ２４を通じて、ＷＡＮ４２に接続される。地域本部３には、地域統合管理装置３１が設置され、ルータ３２を通じてＷＡＮ４２に接続される。さらに本部１には、本部統合管理装置１１が設置されルータ１３を通じて、ＷＡＮ４２に接続されている。これにより、ＷＡＮ４２を通じて、本部統括管理装置１１と地域統合管理装置３１とホール管理装置２１は専用回線および／または公衆回線４１により一体となって接続されている。
【００２８】
ここで、地域本部３の有無、または複数の存在、店舗２が１箇所あるいは複数存在するなどは、店舗の規模によって自在である。
【００２９】
次ぎに当該本部統合管理装置１１と地域統合管理装置３１とホール管理装置２１がＷＡＮ４２を介して接続された状態における作用について説明する。各店舗２のホール管理装置２１から、各店舗のホールに関するデータ、例えば遊技機情報がリアルタイムにＷＡＮ４２を通じて地域統合管理装置３１および／または本部統合管理装置１１に送信される。
【００３０】
具体的に、ホール管理装置２１から地域統合管理装置３１および／または本部統合管理装置１１に送信されるデータについては、相互互換性を持たせるために交信データとして、例えば図２に示す様な項目が想定できる。
【００３１】
ホール管理装置２１からのデータをリアルタイムにＷＡＮ４２を通じて地域統合管理装置３１および／または本部統合管理装置１１に送信するに際しては、高速化を図る為、データを約１／１０〜１／７０に圧縮処理して送信される。それにより地域統合管理装置３１および／または本部統合管理装置１１に送信に要する時間を１ホール管理装置２１当たり約５秒で送信することができる。
【００３２】
地域統合管理装置３１および／または本部統合管理装置１１はＷＡＮ４２を通じて各ホール管理装置２１からのデータをリアルタイムに受信し、各店舗のホール管理装置２１からのデータ毎に保存・管理する。また、リアルタイムに送信されて来たデータを基に、地域統合管理装置３１の図示しない表示端末および／または本部統合管理装置１１の表示端末１２を用いて、各店舗のホール管理装置２１の図示しない表示端末に表示されると同様の画面を用いて参照することも可能な様に構成されている。
【００３３】
これにより、地域統合管理装置３１および／または統合管理装置１１からは、各店舗の設定情報などをリアルタイムに各ホール管理装置２１に送信し、指示を出すことができる。また、地域統合管理装置３１が存在することにより広域に店舗を保有する場合でも、地域と本部が連携して、統括的にあるいは、地域性を生かした特有のデータがある場合にも的確に各店舗のホール管理装置２１に指示が出される。
【００３４】
具体的に、地域統合管理装置３１および／または本部統合管理装置１１が各ホール管理装置２１へ送るデータは、例えば図３に示す様な司令データが想定できる。
【００３５】
これらの司令データを送ることにより、各店舗の遊技機に対してどのような釘調整をすれば良いかを指示することができる。また、その指示した内容とおりに営業できているか瞬時に判断でき更にタイムリーな指示を出すことができる。
【００３６】
また、本発明のようにデータを自在に瞬時に交信できることにより、各店舗にて遊技機の機種変更や設備変更、また交換率変更などが生じた場合地域統合管理装置３１および／または本部統合管理装置１１から各ホール管理装置２１へマスター情報をダウンロードすることが出来各店舗にて変更する手間を省くことが出来る。
【００３７】
地域統合管理装置３１および／または本部統合管理装置１１は、リアルタイムに各店舗のホール管理装置２１から送られて来たデータを少なくとも１年間蓄積し、保存・管理する。それにより、長期にわたる各ホール管理装置２１のデータを参照・印字することができる。
【００３８】
これにより、長期にわたる各ホール管理装置２１から送られて来たデータを基にリアルタイムの情報と合わせ分析・演算し統計手法などを用いて、設定情報などを統括的・戦略的に各店舗のホール管理装置２１に送信し、指示を出される。また、地域統合管理装置３１が存在することにより広域に店舗を保有する場合でも、地域と本部が連携して、統括的にあるいは、地域性を生かした特有のデータがある場合にも的確に各店舗のホール管理装置２１に指示が出される。
【図面の簡単な説明】
【００３９】
【図１】地域統合管理装置および本部統合管理装置とホール管理装置との全体構成を表す図である。
【図２】ホール管理装置と本部統合管理装置および／または地域統合管理装置との間での交信データの一例を示す図である。
【図３】本部統合管理装置および／または地域統合管理装置からホール管理装置への司令データの一例を示す図である。
【符号の説明】
【００４０】
１  本部
２  店舗
３  地域本部
１１  本部統合管理装置
１２，４３  表示端末
１３、２４、３２  ルータ
２１  ホール管理装置
２２  ローカルコンピュータ
２３  台情報ユニット
３１  地域統合管理端末
４１  専用／公衆回線
４２  ＷＡＮ
【図１】
2005040337.tif 000003
【図２】
2005040337.tif 000004
【図３】
2005040337.tif 000005